(57)【要約】【課題】奥行き感や立体感のある優れた意匠を備える表示装置を提供する。【解決手段】表示装置１は、主に、光を出力する光源部１０と、光源部１０から出力された光が入射する光入射部１２と、光入射部１２の第１の面１２１に設けられ、光入射部１２を保護すると共に光の一部を反射させる保護部１３と、光入射部１２の第１の面１２１の反対側の第２の面１２２に設けられた表示対象のパターンである表示パターン１４と、光入射部１２の第２の面１２２、及び表示パターン１４上に設けられ、光の一部が透過する透過部１５と、透過部１５に入射した光の一部を表示パターン１４の方向に反射させることで、表示パターン１４を照明する反射照明部１６と、を備えて概略構成されている。【選択図】図１
2014182355.tif 000002
【特許請求の範囲】
【請求項１】
光を出力する光源部と、
前記光源部から出力された光が入射する光入射部と、
前記光入射部の第１の面に設けられ、前記光入射部を保護すると共に光の一部を反射させる保護部と、
前記光入射部の前記第１の面の反対側の第２の面に設けられた表示対象のパターンである表示パターンと、
前記光入射部の前記第２の面、及び前記表示パターン上に設けられ、光が透過する透過部と、
前記透過部に入射した光の一部を前記表示パターンの方向に反射させることで、前記表示パターンを照明する反射照明部と、
を備えた表示装置。
【請求項２】
前記反射照明部は、前記表示パターンの周辺が湾曲して湾曲部が形成され、
前記湾曲部は、前記透過部に入射した光の一部を前記表示パターンの方向に反射させる請求項１に記載の表示装置。
【請求項３】
前記反射照明部を反射した光の一部が、前記透過部、前記光入射部及び前記保護部を介して出力することで弱い照明がなされる弱照明領域を形成し、
前記反射照明部の前記湾曲部で反射した光の一部が、前記透過部、前記表示パターン、前記光入射部及び前記保護部を介して出力し、さらに前記光入射部と前記表示パターンとの境界面で反射した光の一部が、前記光入射部及び前記保護部を介して出力することで、前記弱照明領域よりも強い照明がなされる強照明領域を形成する請求項２に記載の表示装置。
【発明の詳細な説明】
【技術分野】
【０００１】
本発明は、表示装置に関する。
【背景技術】
【０００２】
従来の技術として、透光性を有する基材と、基材の裏面に設けられた警告色印刷層と、警告色印刷層に応じて基材の表面に形成された暗色半透明層と、暗色半透明層の周囲に設けられ、基材の内側に反射する光の光量を減少させる黒色印刷層と、表示させたい警告表示に応じて暗色半透明層に設けられた警告表示用スリットと、を備えた表示装置が知られている（例えば、特許文献１参照。）。
【０００３】
この表示装置は、警告色印刷層の下方に設けられた警告表示用電球から出力された光が、警告色印刷層、基材、暗色半透明層及び警告表示用スリットを介して外部に出力されて、警告表示が警告色で視認できるように構成されている。
【先行技術文献】
【特許文献】
【０００４】
【特許文献１】特開平９−１３８６６１号公報
【発明の概要】
【発明が解決しようとする課題】
【０００５】
しかし、従来の表示装置は、警告表示を明るく照明するために、警告表示用電球を警告色印刷層の下方に配置しているので、警告表示に奥行き感や立体感のある意匠を持たせるのは困難であった。
【０００６】
従って、本発明の目的は、奥行き感や立体感のある優れた意匠を備える表示装置を提供することにある。
【課題を解決するための手段】
【０００７】
本発明の一態様は、光を出力する光源部と、光源部から出力された光が入射する光入射部と、光入射部の第１の面に設けられ、光入射部を保護すると共に光の一部を反射させる保護部と、光入射部の第１の面の反対側の第２の面に設けられた表示対象のパターンである表示パターンと、光入射部の第２の面、及び表示パターン上に設けられ、光が透過する透過部と、透過部に入射した光の一部を表示パターンの方向に反射させることで、表示パターンを照明する反射照明部と、を備えた表示装置を提供する。
【発明の効果】
【０００８】
本発明によれば、奥行き感や立体感のある優れた意匠を備えることができる。
【図面の簡単な説明】
【０００９】
【図１】図１（ａ）は、実施の形態に係る表示装置の分解斜視図であり、（ｂ）は、表示装置の上面図である。
【図２】図２（ａ）は、実施の形態に係る表示装置の図１（ｂ）のII（ａ）-II（ａ）線で切断した断面を矢印方向から見た断面図であり、（ｂ）は、表示パターンが形成された周辺の断面図の拡大図である。
【図３】図３（ａ）〜（ｃ）は、実施の形態に係る表示装置の製造工程を示す要部断面部である。
【発明を実施するための形態】
【００１０】
（実施の形態の要約）
実施の形態に係る表示装置は、光を出力する光源部と、光源部から出力された光が入射する光入射部と、光入射部の第１の面に設けられ、光入射部を保護すると共に光の一部を反射させる保護部と、光入射部の第１の面の反対側の第２の面に設けられた表示対象のパターンである表示パターンと、光入射部の第２の面、及び表示パターン上に設けられ、光が透過する透過部と、透過部に入射した光の一部を表示パターンの方向に反射させることで、表示パターンを照明する反射照明部と、を備える。
【００１１】
この表示装置は、背景を形成する反射照明部が間接的に照明されると共に、表示パターンと透過部の間に回り込んだ光が表示パターンを照明するので、表示パターンが背景よりも強く照明される。また、表示装置は、表示パターンと、表示パターンの背景となる反射照明部とが、異なる階層に配置されることから奥行き感や立体感のある優れた意匠を備えることができる。
【００１２】
[実施の形態]
（表示装置１の構成）
図１（ａ）は、実施の形態に係る表示装置の分解斜視図であり、（ｂ）は、表示装置の上面図である。図２（ａ）は、実施の形態に係る表示装置の図１（ｂ）のII（ａ）-II（ａ）線で切断した断面を矢印方向から見た断面図であり、（ｂ）は、表示パターンが形成された周辺の断面図の拡大図である。なお、実施の形態に係る各図において、図形間の比率は、実際の比率とは異なる場合がある。
【００１３】
この表示装置１は、一例として、車両に搭載される操作装置の一部を構成するものである。この操作装置は、一例として、車両に搭載されたモニタに表示されたカーソル等を操作できるように構成されている。表示装置１は、例えば、操作装置の操作部に相当する部分に設けられているが、これに限定されない。
【００１４】
表示装置１は、図１（ａ）に示すように、主に、光を出力する光源部１０と、光源部１０から出力された光が入射する光入射部１２と、光入射部１２の第１の面１２１に設けられ、光入射部１２を保護すると共に光の一部を反射させる保護部１３と、光入射部１２の第１の面１２１の反対側の第２の面１２２に設けられた表示対象のパターンである表示パターン１４と、光入射部１２の第２の面１２２、及び表示パターン１４上に設けられ、光の一部が透過する透過部１５と、透過部１５に入射した光の一部を表示パターン１４の方向に反射させることで、表示パターン１４を照明する反射照明部１６と、を備えて概略構成されている。
【００１５】
この表示装置１は、例えば、保護部１３が、反射照明部１６、透過部１５、表示パターン１４及び光入射部１２が重ねられた積層体１１の光入射部１２側に設けられている。また、積層体１１の反射照明部１６側には、基板２が設けられている。この表示装置１は、一例として、基板２、積層体１１及び保護部１３の順に重ねられて概略構成されている。
【００１６】
（基板２の構成）
基板２は、例えば、矩形状に形成されたプリント配線基板である。この基板２の設置面２ａには、図１（ａ）に示すように、矩形状を有するタッチセンサ部２００が設けられている。このタッチセンサ部２００は、例えば、静電容量方式のタッチセンサを含んで構成されている。タッチセンサ部２００は、保護部１３の表面１３０になされた操作を検出するように構成されている。この基板２には、タッチセンサ部２００の一辺に、光源部１０が配置されている。
【００１７】
（光源部１０の構成）
光源部１０は、一例として、発光素子１０ａ〜発光素子１０ｆを備えて概略構成されている。この発光素子１０ａ〜発光素子１０ｆは、一例として、発光ダイオード（ＬＥＤ：Light Emitting Diode）である。なお、発光素子の種類及び数は、上記に限定されず、用途に応じて変更可能である。
【００１８】
この発光素子１０ａ〜発光素子１０ｆは、タッチセンサ部２００の一辺に沿うように、予め定められた間隔で並んで配置されている。発光素子１０ａ〜発光素子１０ｆは、その光軸が、実質的に設置面２ａの法線と直交するように、また、積層体１１の長手方向の側面である光入射面１１０に向けて光が出力できるように配置されている。
【００１９】
発光素子１０ａ〜発光素子１０ｆは、表示装置１に表示させる表示パターン１４の色に応じた光を出力するように構成されている。本実施の形態では、一例として、表示パターン１４は、白系の色で発光させるため、発光素子１０ａ〜発光素子１０ｆは、白系の光を出力する発光ダイオードを用いて構成されている。
【００２０】
（光入射部１２の構成）
光入射部１２は、光源部１０から出力された光を透過する、すなわち、光入射部１２の内部に光を伝播させるように構成されている。従って、光入射部１２は、一例として、光の外部透過率が高い（およそ９０％程度）、ＭＢＳ（メチルメタクリレートブタジエンスチレン共重合体）樹脂、透明ＡＢＳ（アクリロニトリルブタジエンスチレン共重合体）樹脂、ＳＢＣ（スチレンブロック共重合体）樹脂、ＰＣ樹脂（ポリカーボネート）及びＰＥＴ（ポリエチレンテレフタレート）樹脂等を用いて形成される。
【００２１】
この光入射部１２は、透明な板状の部材である。本実施の形態の光入射部１２は、一例として、ポリカーボネート樹脂を用いて形成される。この光入射部１２の厚みは、一例として、０．８ｍｍである。なお、光入射部１２の変形例としては、例えば、入射した光が拡散する物質を含んで構成されても良い。
【００２２】
（保護部１３の構成）
保護部１３は、一例として、帯電防止性及びＵＶ（UltraViolet）吸収性等を有するＵＶハードコートが施されている。このＵＶハードコートの厚みは、一例として、２０μｍである。
【００２３】
また、保護部１３は、例えば、指の滑りを良くするために、表面１３０にシボ加工が施されている。保護部１３は、表面１３０にシボ加工が施されているので、シボ加工が施されていない場合と比べて、光を光入射部１２の方向に反射し易くなっている。さらに、保護部１３は、一例として、帯電防止性及びＵＶ（UltraViolet）吸収性等を有するＵＶハードコートが施されている。
【００２４】
（表示パターン１４の構成）
表示パターン１４は、図１（ｂ）に示すように、例えば、表示パターン１４ａ〜表示パターン１４ｄから概略構成されている。この表示パターン１４ａ〜表示パターン１４ｄは、角が丸みを帯びた幅のある細長い線形状を有し、光入射部１２の第２の面１２２に形成される。
【００２５】
表示パターン１４ａは、図１（ｂ）の紙面左に図示された強照明領域１４０の下方に形成される。表示パターン１４ｂは、この表示パターン１４ａを図１（ｂ）の紙面において時計回りに９０°回転させた位置に形成される。
【００２６】
表示パターン１４ｂは、図１（ｂ）の紙面上に図示された強照明領域１４１の下方に形成される。表示パターン１４ｃは、この表示パターン１４ｂを時計回りに９０°回転させた位置に形成される。
【００２７】
表示パターン１４ｃは、図１（ｂ）の紙面右に図示された強照明領域１４２の下方に形成される。表示パターン１４ｄは、この表示パターン１４ｃを時計回りに９０°回転させた位置に形成される。
【００２８】
表示パターン１４ｄは、図１（ｂ）の紙面下に図示された強照明領域１４３の下方に形成される。表示パターン１４ａは、この表示パターン１４ｄを時計回りに９０°回転させた位置に形成される。つまり、本実施の形態における表示パターン１４は、一例として、４つの細長い線が、交わらないように十字に配置されたものである。
【００２９】
この表示パターン１４ａ〜表示パターン１４ｄは、保護部１３等を介して表示させたい画像を第２の面１２２に形成したものである。この保護部１３等を介して表示される表示パターン１４ａ〜表示パターン１４ｄは、例えば、白系の色を有している。この表示パターン１４は、光源部１０による照明が行われない状態でも保護部１３等を介して視認可能となっている。
【００３０】
表示パターン１４ａ〜表示パターン１４ｄは、例えば、印刷によって、光入射部１２の第２の面１２２に形成される。この印刷は、例えば、スクリーン印刷法及びインクジェット印刷法等の印刷法を用いて行われる。また、印刷に用いられるインクは、上記の印刷法と、光源部１０から出力される光、及び表示させる画像の色等に応じて選択される。この表示パターン１４ａ〜表示パターン１４ｄの厚みは、一例として、８μｍである。
【００３１】
強照明領域１４０〜強照明領域１４３の周囲の弱照明領域１４５は、強照明領域１４０〜強照明領域１４３よりも弱く照明される領域である。この弱照明領域１４５の色は、反射照明部１６の色が、主に反映されている。
【００３２】
（透過部１５の構成）
透過部１５は、例えば、外部透過率が高い上述の樹脂等を用いて形成される。本実施の形態の透過部１５は、一例として、ＰＥＴフィルムである。この透過部１５の厚みは、一例として、０．１μｍ以上０．２μｍ以下である。
【００３３】
透過部１５は、光入射部１２の第２の面１２２と表示パターン１４とを覆うように設けられる。従って、透過部１５は、表示パターン１４ａ〜表示パターン１４ｄのそれぞれの周囲が湾曲する。図２（ｂ）では、表示パターン１４ａを含む断面が図示されているので、透過部１５における、表示パターン１４ａの周囲の湾曲した部分である第１の湾曲部１５０が図示されている。
【００３４】
なお、表示パターン１４ｂ〜表示パターン１４ｄの周囲に形成される第１の湾曲部は、実質的に表示パターン１４ａの第１の湾曲部１５０と同様である。つまり、第１の湾曲部１５０と実質的に同じ形状を有する第１の湾曲部が、表示パターン１４ｂ〜表示パターン１４ｄの周囲にも形成される。また同様に、反射照明部１６には、表示パターン１４ａ〜表示パターン１４ｄの周囲に湾曲部としての後述する第２の湾曲部１６１が形成される。従って、以下では、表示パターン１４ｂ〜表示パターン１４ｄのそれぞれの周囲に形成された湾曲した部分を第１の湾曲部１５０及び第２の湾曲部１６１と記載する。また以下では、主に表示パターン１４ａの周囲に形成される透過部１５及び反射照明部１６の第１の湾曲部１５０及び第２の湾曲部１６１の説明を行い、他の表示パターン１４ｂ〜表示パターン１４ｄの第１の湾曲部１５０及び第２の湾曲部１６１に関する説明に代えるものとする。
【００３５】
（反射照明部１６の構成）
反射照明部１６は、例えば、上述の印刷法等を用いて透過部１５の一方の面に形成される。この反射照明部１６の厚みは、一例として、８μｍである。
【００３６】
この反射照明部１６を反射した光の一部が、透過部１５、光入射部１２及び保護部１３を介して出力することで弱い照明がなされる弱照明領域１４５を形成する。また、反射照明部１６の第２の湾曲部１６１で反射した光の一部が、透過部１５、表示パターン１４、光入射部１２及び保護部１３を介して出力し、さらに光入射部１２と表示パターン１４との境界面１２３で反射した光の一部が、光入射部１２及び保護部１３を介して出力することで、弱照明領域１４５よりも強い照明がなされる強照明領域１４０〜強照明領域１４３を形成する。
【００３７】
具体的には、反射照明部１６は、例えば、光が透過しない黒系の色のインクを用いて形成されている。反射照明部１６は、透過部１５に形成されるので、表示パターン１４ａ〜表示パターン１４ｄのそれぞれの周囲が湾曲して第２の湾曲部１６１が形成される。
【００３８】
透過部１５と反射照明部１６とは、一体であるので、第２の湾曲部１６１は、第１の湾曲部１５０に応じた形状となっている。この第２の湾曲部１６１は、透過部１５に入射した光の一部を表示パターン１４の方向に反射させる。なお、表示パターン１４ｂ〜表示パターン１４ｄの周囲に形成された第２の湾曲部１６１は、透過部１５に入射した光の一部を対応する表示パターン１４ｂ〜表示パターン１４ｄの方向に反射させる。
【００３９】
以下に、本実施の形態に係る表示装置１の表示パターン１４の照明について説明する。
【００４０】
（表示パターン１４の照明について）
表示装置１は、図２（ａ）に示すように、駆動に必要な電力が供給された後、光源部１０が光１００を出力する。
【００４１】
光源部１０から出力された光１００は、主に、積層体１１の光入射面１１０から光入射部１２内に伝播する。
【００４２】
光入射部１２を伝播する光１００の一部は、主に、大気と保護部１３の実質的な境界面となる表面１３０、光入射部１２と保護部１３の実質的な境界面となる第１の面１２１、光入射部１２と透過部１５の実質的な境界面となる第２の面１２２、及び反射照明部１６の実質的な境界面となる表面１６０において、反射を繰り返しながら伝播する。この反射を繰り返しながら伝播する光１００の一部が、弱照明領域１４５から光１０３として出力される。
【００４３】
また、図２（ｂ）に示すように、表示パターン１４ａが形成された周辺では、透過部１５と反射照明部１６との境界である湾曲面１６２に到達した光１０１の一部が、湾曲面１６２で反射して表示パターン１４ａを介して、光１０４として外に出力される。また、表示パターン１４ａと光入射部１２との境界面１２３で反射した光１０２の一部が、強照明領域１４０から光１０４として出力する。
【００４４】
従って、弱照明領域１４５が、間接的な照明で弱く照明される。また、強照明領域１４０〜強照明領域１４３は、間接的な照明でありながら弱照明領域１４５よりも強く照明されると共に、表示パターン１４と、背景となる反射照明部１６と、が異なる階層に配置されることから、奥行き感や立体感のある表示となる。
【００４５】
以下に、表示装置１の作製工程の一例を示す。
【００４６】
（表示装置１の作製工程）
図３（ａ）〜（ｃ）は、実施の形態に係る表示装置の製造工程を示す要部断面部である。図３（ａ）〜（ｃ）は、表示装置１の製造工程を、図１（ｂ）のII（ａ）-II（ａ）で切断した断面を要部断面として示している。
【００４７】
まず、図３（ａ）に示すように、第２の面１２２が上向きとされた光入射部１２を用意し、所定の位置に表示パターン１４を印刷により形成する。
【００４８】
次に、印刷により、透過部１５の一方の面に反射照明部１６を形成する。
【００４９】
次に、図３（ｂ）に示すように、反射照明部１６が形成された面の反対側の面を光入射部１２側として、光入射部１２に透過部１５を貼り付けて積層体１１を形成する。この貼り付けは、一例として、光入射部１２と透過部１５とをラミネート加工を行うことにより行われる。なお、上記の製作工程は、表示パターン１４が印刷された光入射部１２に透過部１５を貼り付け、張り付けた透過部１５に反射照明部１６を形成しても良い。
【００５０】
次に、図３（ｃ）に示すように、積層体１１を裏返し、第１の面１２１に保護部１３を取り付け、基板２に設置して表示装置１を得る。
【００５１】
（実施の形態の効果）
本実施の形態に係る表示装置１は、奥行き感や立体感のある優れた意匠を備えることができる。具体的には、この表示装置１は、背景を形成する反射照明部１６が間接的に照明されると共に、表示パターン１４と透過部１５の間に回り込んだ光が表示パターン１４を照明するので、表示パターン１４が背景よりも強く照明される。また、表示装置１は、表示パターン１４と、表示パターン１４の背景となる反射照明部１６とが、異なる階層に配置されることから奥行き感や立体感のある優れた意匠を備えることができる。
【００５２】
この表示装置１は、光を表示パターン１４の方向に反射させる第２の湾曲部１６１が、反射照明部１６に形成されているので、湾曲部が形成されない場合と比べて、より効果的に表示パターン１４を照明することができる。
【００５３】
この表示装置１は、奥行き感や立体感のある意匠を表現するための構成が簡単であるので、照明の角度等を調整することで奥行き感等を演出するものと比べて、製造コストを抑制することができる。
【００５４】
この表示装置１は、積層体１１の側面に光源部１０が配置されるので、表示パターンの下方から照明する場合と比べて、間接的な照明の効果が得られる。また表示装置１は、側面から光を入射するにも関わらず、強照明領域１４０〜強照明領域１４３、及び弱照明領域１４５を形成することができるので、表示に変化が生まれ意匠に優れている。
【００５５】
なお、変形例として、表示装置１は、光入射面１１０以外の側面に、光を反射する反射部を設けても良い。この表示装置１は、光入射面１１０以外の側面に到達した光が反射されるので、背景や表示パターン１４の照明むらが抑制される。
【００５６】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００５７】
１…表示装置
２…基板
２ａ…設置面
１０…光源部
１０ａ〜１０ｆ…発光素子
１１…積層体
１２…光入射部
１３…保護部
１４，１４ａ〜１４ｄ…表示パターン
１５…透過部
１６…反射照明部
１００，１０１〜１０４…光
１１０…光入射面
１２１…第１の面
１２２…第２の面
１２３…境界面
１３０…表面
１４０〜１４３…強照明領域
１４５…弱照明領域
１５０…湾曲部
１６０…表面
１６１…湾曲部
１６２…湾曲面
２００…タッチセンサ部
【図１】
2014182355.tif 000003
【図２】
2014182355.tif 000004
【図３】
2014182355.tif 000005